(57)【要約】【課題】年寄りに見られたくないから杖を使わない、という人でも、むしろその杖を人に見せたいから外出する、というように、生き生きと老後を全うできるよう手助けできる、特に寒冷地で、より大きい効果を有する杖を提供する。【解決手段】本発明の杖は、顧客の希望する写真、絵、書等の素材をもとにスキャナで取り込んだ画像データを、プリントシステム機で、縦方向に数個レイアウトするよう画像処理してプリントアウトしてから予め裏面に接着剤が塗布された薄い縦長の未処理フイルムに転写、プロテクト加工等のラミネート処理して作成された完成フイルムを、軸表面にほぼ一周に亘って巻き付けるようにしてなる。【選択図】図３
2007236427.tif 000002
【特許請求の範囲】
【請求項１】
顧客の希望する写真、絵、書等の素材をもとにスキャナで取り込んだ画像データを、プリントシステム機で、縦方向に数個レイアウトするよう画像処理してプリントアウトしてから予め裏面に接着剤が塗布された薄い縦長の未処理フイルムに転写、プロテクト加工等のラミネート処理して作成された完成フイルムを、軸表面にほぼ一周に亘って巻き付けるようにしたことを特徴とする杖。
【請求項２】
上記画像データを縦方向に角度を変えて数個レイアウトして完成フイルムを作成するようにしたことを特徴とする請求項１記載の杖。
【請求項３】
手元で簡単に滑り止め用の爪を接地ゴムから出入りできるようにした、寒冷地で使用される請求項１記載の杖。
【発明の詳細な説明】
【技術分野】
【０００１】
本発明は、主に老人が使用する杖に関し、その杖をきっかけとして見知らぬ人同士で会話が弾むなど、積極的に使用して外出が楽しみになるよう工夫されたもので、特に寒冷地で、より効果の大きい杖に関する。
【背景技術】
【０００２】
従来、ある程度体力の衰えた老人にとって、杖は転倒、骨折事故を防止する非常に有効な手段であり、外出時は出来るだけ使用するのが望ましいが、年寄りに見られたくない、という思いの強さや恥ずかしさ等から、使用しない人も多く、外出時につまずいて転倒し、骨折事故を起こしたり、家に閉じこもりがちになって一層の体力の衰え、場合によっては寝たきりになってしまう、という現実もあった。このことは、寒冷地の冬期間において一層切実であり、寒さと、滑って転倒する心配から、どうしても外出が億劫になってしまいがちとなっていた。
【０００３】
そのことに対して従来の杖は、握り易さとか長さ調整の容易さ、とかの機能面が重視され、例えば寒冷地用のものとしては従来の杖の先に滑り止めの爪を付けるなどしているが、いずれもデザイン的には地味なものが多く、中には高級品で、カラフルな杖も見受けられるものの、いずれにしても、その杖のお陰で外出するのが楽しみになるというようなものはなかった。
【発明の開示】
【発明が解決しようとする課題】
【０００４】
そのため、年寄りに見られたくないから杖を使いたくないと言う人でも、むしろその杖を人に見せたいから外出する、というように、ひきこもり、骨折を防止し、特に寒冷地ではその効果が大きいが、生き生きと老後を全うできるよう手助けできる杖を提供することを目的とする。
【課題を解決するための手段】
【０００５】
本発明の杖は、顧客の希望する写真、絵、書等の素材をもとにスキャナで取り込んだ画像データを、プリントシステム機で、縦方向に数個レイアウトするよう画像処理してプリントアウトしてから予め裏面に接着剤が塗布された薄い縦長の未処理フイルムに転写、プロテクト加工等のラミネート処理して作成された完成フイルムを、軸表面にほぼ一周に亘って巻き付けるようにしたことを特徴としている。
【０００６】
また、同様の課題を解決するために、画像データを縦方向に角度を変えて数個レイアウトして完成フイルムを作成するようにしたことを特徴としている。
【０００７】
さらに、寒冷地で使用するため、上述の杖を、手元で簡単に滑り止め用の爪を接地ゴムから出し入れできるようにしたことを特徴としている。
【発明の効果】
【０００８】
本発明によれば、顧客の趣味、ペットや孫、好きな風景、想い出等をフイルムにして貼り付けた杖を持ち歩くことにより、例えばバス停や休憩場所等で、老人同士、同じ趣味、想い出等を持った人、あるいは好奇心からの対話が始まるきっかけとなり、自慢話の少しでも出来る、知らない者同士が胸襟を開いて、とか、思わぬ知り合いになる、等の期待感と、世界で唯一の、自分だけの杖を持っているという喜び、誇りとから、老人が積極的に外出するようになり、また、注目されることが若さを保つことにつながる等、引きこもりや骨折による、足腰が弱くなったり、寝たきりになったりする恐れを少なくし、特に、寒冷地で、冬期間、寒さと転倒事故の心配からの引きこもりを減少できる効果が期待できる。
【０００９】
以下、図面に即して本発明の１実施例を説明する。
図１に顧客が使用したい素材１が仮に風景の写真だとして、その簡易図を示すが、その素材１をスキャナ（図面省略）で取り込んだ画像データを、プリントシステム機（図面省略）で、ソフトにより縦方向に数個レイアウトするよう画像処理して紙にプリントアウトしてから予め裏面に接着剤が塗布された薄い縦長の未処理フイルムに転写、劣化を防止するためのプロテクト加工等のラミネート処理された完成フイルム２を作成する。
【００１０】
勿論、接着剤を塗布した面には裏紙を張っているので、裏紙をはがして図３の軸３表面にほぼ一周に亘って、出来るだけ空気が入らないよう巻き付け、握り部４、接地ゴム５をはめこんで本発明の杖６は完成される。握り部４と軸３は接着剤を塗布して抜けないようにし、軸３と接地ゴム５は、接地ゴム５の摩耗による交換が可能なように、ゴム摩擦により容易には離脱しないよう、はめ込んでいる。
【００１１】
完成フイルム２を巻き付ける際、端と端が隙間なくピッタリ合うのが望ましいのかもしれないが、少し重なり合うようにしてもフイルム自体が薄いため違和感はない。しかし、逆に少し空けて、そこに、例えば車のライトが当たったとき反射する反射テープのようなものを貼り付けて暗くなったときの安全策にする、等の方法もある。
【００１２】
軸３は、安価、軽量が望まれるので、アルミパイプが多く使用されるが、表面の焼き付け塗装が必要なくなり、その分だけコストも安くなる。また寒冷地においては、軸部分を触っても、冷たい感触が少なくなり、厳寒地などで、場合によってはうっかり素手で金属面を握ったとき、指の皮がはがれてしまう、という事故もフイルムが防止できる利点がある。
【００１３】
杖６はその人の身長に併せて長さの調整が必要となるが、その時は長めの杖６を接地ゴム５側で軸３を切断して長さを合わせるようにする。また、使用しているうちに、顧客が別な素材を貼りたい、と、いわば模様替えを希望してきた場合は、杖６を新しいものに交換しなくとも、前の完成フイルム２をはがして新しい完成フイルムを貼るか、または前の完成フイルム２の上から新しい完成フイルムを貼ればよいので、顧客にとっては費用が安く付くとともに、また新たな喜びが生じる利点がある。
【００１４】
はがしたとき、貼った方のフイルムに接着剤が残るようにしておけば、何回でも貼り替えができ、また、前に使用したフイルムを再使用することも可能になるので、例えば、春夏秋冬、季節に応じて模様替えする、というようなこともできる。冬が長い北国では、春を待ちわびる気持ちにそぐうような、ほのぼのとした季節感あふれたデザインのものを採用する、というのも人々の心を和ませる一因になると思われる。
【００１５】
寒冷地においては、雪や氷による転倒事故を防止するため、杖の先に滑り止め用の爪を取り付け、建物の中など爪が必要ない時は、杖を持ち直して爪を上方に回転出来るようにしているものが多いが、建物に出入りする度に、そういう操作をするのは大変であり、爪を出したまま建物に入り、床に傷を付けるとか、人混みの中では他人に爪が刺さる危険性もあり、また、それがいやで、家から目的の建物が近いからと、油断して爪を出さず、転倒してしまう、という事故にもつながり兼ねなかった。
【００１６】
そのため、図４に示す、同一出願人による特許第３６９５４１８号公報の様に、軸３の中に爪７を手元で操作する内軸８を収容し、握り部４にヒンジ結合されるレバー９を回転させて片手で簡単に爪７を接地ゴム５から出入りできる、つまり、雪や氷で滑る心配のあるところでは爪を出し、滑る心配のないところでは爪を引っ込める、という行為がいとも簡単にできる寒冷地用杖も提案されており、その様な構造を有する杖の軸３に上述の完成フイルム２を巻いたものは、より一層寒冷地用としてふさわしいものとなる。また、図面は省略するが、レバー９を回転させる代わりに、同じく握り部４に押し釦をもうける、ノック式ボールペンを応用した爪７のワンタッチ出入り機構を採用するなどの方法もある。
【００１７】
図５の実施例は、素材１をスキャナで取り組んだ画像データを角度をずらしながら縦方向にレイアウトしたものであり、やはり表面にラミネート処理された別の完成フイルム１１を示しているが、こうすることにより、杖６を持った本人とそれを見る第３者の位置関係によらず、第３者が画像を認識しやすくなるという利点がある。完成フイルム２にするか１１にするか、あるいは、ずらし角度をどのぐらいにするか等は、多くは画像の種類によって決定される。
【００１８】
本発明における素材１は、必ずしも顧客が持ち込んだものばかりではなく、予め用意されたカタログ等をもとに顧客が気に入ったものを選択するようにしても良い。また、複数個の素材を組み合わせて一つの素材にすることも勿論可能である。以上のような杖の性格から、本発明の使用に当たっては、老人ばかりでなく、比較的若い人がステッキ代わりに使用するということも考えられ、また、暖かい地方はもとより、特に寒冷地における冬期間の老人の引きこもり対策に大きな効果を有するものである。
【図面の簡単な説明】
【００１９】
【図１】本発明の素材の簡易実施例である。
【図２】素材をもとに製作した完成フイルムの実施例である。
【図３】本発明の杖の外観図である。
【図４】本発明に適用される寒冷地用杖の一実施例を示す縦断面図である。
【図５】素材をもとに製作した別の完成フイルムの実施例である。
【符号の説明】
【００２０】
１        素材
２、１１  完成フイルム
３        軸
４        握り部
５        接地ゴム
６        杖
７        爪
８        内軸
９        レバー
【図１】
2007236427.tif 000003
【図２】
2007236427.tif 000004
【図３】
2007236427.tif 000005
【図４】
2007236427.tif 000006
【図５】
2007236427.tif 000007